(57)【要約】【課題】ＬＥＤランプ台の取付け構造の提供。【解決手段】ＬＥＤランプ台の取付け構造に関するものである。それはＬＥＤを照明器具に使う取付け構造であり、主には、ＬＥＤランプ台を持つことで、素早く照明器具に取付けることができる。本考案の構造は一つのＬＥＤランプ台及び電源出力端としての二つの弾性端子を含む。そのランプ台の両側の端にそれぞれ一つの円弧形端子を固定して設け、その二つの弾性端子の自由端はリング状接触端である。このライト台がその二つの弾性端子の間に挟まれる場合、そのライト台の両端にある円弧形端子をそれぞれ二つの弾性端子の接触端と接触することで、電気性の伝導を形成する。本考案の構造を組み立て、取外しやすいので、取り付け、メンテナンスを行いやすくなるし、ＬＥＤライト台を取付けた後、ライトの投射方向を調整することができる。【選択図】図１
0003147965.tif 000002
【実用新案登録請求の範囲】
【請求項１】
ＬＥＤランプ台の取付け構造に関するものであり、一つのＬＥＤランプ台及び電源出力端としての二つの弾性端子を含み、その中、
ランプ台の中に少なくとも一つのＬＥＤを設け、その両側端にそれぞれ一つの円弧形端子を設けてあり、その二つの円弧形端子でそのランプ台の電源入力端を構成し、
その弾性端子の一端は電気回路板で接続し、別の一端は自由端であり、その自由端の末端に一つのコップ状の本体を連接して設け、そのコップ上の末端にリング状端が形成され、該ランプ台がその二つの弾性端子の間に挟まれ、且つ該ライト台の両端にある円弧形端子をそれぞれ二つの弾性端子の自由端でのコップ状の本体末端にあるリング状端とコンタクトすることを特徴とするＬＥＤランプ台の取付け構造。
【請求項２】
請求項１記載のＬＥＤランプ台の取付け構造において、又、そのランプ台は球体状であることを特徴とするＬＥＤランプ台の取付け構造。
【請求項３】
請求項１記載のＬＥＤランプ台の取付け構造において、又、その二つの円弧形端子は球面状であることを特徴とするＬＥＤランプ台の取付け構造。
【請求項４】
ＬＥＤランプ台の取付け構造に関するものであり、その中、一つのＬＥＤランプ台及び電源出力端としての二つの弾性端子を含み、その中、
ランプ台の中に少なくとも一つのＬＥＤを設け、その両側の端にそれぞれ一つの円弧形端子を設けてあり、その二つの円弧形端子でそのランプ台の電源入力端を構成し、
その弾性端子の一端は電気回路板で接続し、別の一端はプレート状の自由端であり、そのプレート状の内側面に等角で分ける形態によって、３〜４枚の突出プレート４１を突出して設け、
そのライト台がその二つの弾性端子の間に挟まれ、そのライト台の両側端にある円弧形端子をそれぞれ二つの弾性端子の自由端の内側面にある各突出プレートで囲まれて形成する空間の中に嵌めて固定することで、そのランプ台が落ちる恐れがないことを特徴とするＬＥＤランプ台の取付け構造。
【請求項５】
請求項４記載のＬＥＤランプ台の取付け構造において、そのうち、そのランプ台は球体状であることを特徴とするＬＥＤランプ台の取付け構造。
【請求項６】
請求項４記載のＬＥＤランプ台の取付け構造において、そのうち、その二つの円弧形端子は球面状であることを特徴とするＬＥＤランプ台の取付け構造。
【請求項７】
ＬＥＤランプ台の取付け構造に関するものである、一つのＬＥＤランプ台及び電源出力端としての二つの弾性端子を含み、その中、
ランプ台の中に少なくとも一つのＬＥＤを設け、その両側端にそれぞれ一つの円弧形端子を設けてあり、その二つの円弧形端子でそのランプ台の電源入力端を構成し、
その弾性端子の一端は電気回路板で接続し、別の一端は自由端であり、その自由端の末端に一つの中央に貫通穴があるリングを連接で設け、
そのライト台がその二つの弾性端子の間に挟まれるし、そのライト台の両側端にある弧形端子をそれぞれ二つの弾性端子の自由端にあるリング状端とコンタクトすることを特徴とするＬＥＤランプ台の取付け構造。
【請求項８】
請求項７記載のＬＥＤランプ台の取付け構造において、その中、二つの円弧形端子はプレート状であり、その二つの円弧形端子の外周縁は同一円周にあることを特徴とするＬＥＤランプ台の取付け構造。
【考案の詳細な説明】
【技術分野】
【０００１】
本考案はＬＥＤランプ台の取付け構造に関するものである。主にＬＥＤをライトの光源として使うランプ台を指す。それによって、簡単に照明器具の上に取り付けるし、素早く簡単で取外すことができる。
【背景技術】
【０００２】
日常生活の照明によく使うライド光源は旧式ランプ、石英ランプ、蛍光ランプ、水銀ランプ等を含むが、このようなランプ、蛍光灯を照明器具の上に取り付けた後、光源の照射方向を調整できないので、その照明器具を取付ける時、電灯光の照射範囲を考えなければならないし、電灯光の照射範囲を少しだけ傍に移動しても、照明器具の位置を変えることが必要である。又、このような照明器具の位置を変更するため、新しい線路を作り、壁又は天井に新しい取付け穴をドリルするなどが必要なので、とても手間がかかる。
【０００３】
ＬＥＤ(発光ダイオード)が省エネルギー、発光効率が高く、体積が小さい長所を持つため、現在よく電気回路での照明ライトとして使われる。又、ＬＥＤライトも広告看板のスクリーンライト、交通信号の中での道路通行信号ライトに使われ、更に、一部の高級自動車にもＬＥＤを車ライトとして使われる。そのようなＬＥＤはすべて溶接で電気回路板に固定するので、一つのＬＥＤが壊れて、元の照明状態に戻る場合、その発光器具全体を交換しなければならない。上述のようなメンテナンス方式はコストが高く、壊れていないＬＥＤを捨てる欠点があるので、経済的な原則に合わない。そのため、光源面積がすでに破損した広告看板及び交通信号ライトがまだ使用していること良く見られる。そのため、ＬＥＤを単純な照明器具に使っていないのである。
【考案の開示】
【考案が解決しようとする課題】
【０００４】
本考案の主な目的はＬＥＤランプ台の取付け構造を提供するものである。それはＬＥＤを照明器具に使う取付け構造であり、主には、ＬＥＤランプ台を持つことで、素早く照明器具に取付けることができる。
【０００５】
本考案のもう一つの目的はＬＥＤランプ台の取付け構造を提供するものである。それによって、簡単に照明器具の上に取り付けるし、素早く簡単で取外すことができるので、取付け及びメンテナンスに役に立つのである。
【０００６】
本考案のＬＥＤランプ台の取付け構造は一つのＬＥＤランプ台及び電源出力端としての二つの弾性端子を含む。そのランプ台の両側の端にそれぞれ一つの円弧形端子を固定して設けてあり、その二つの弾性端子の自由端はリング状接触端である。このライト台がその二つの弾性端子の間に挟まれる場合、そのライト台の両端にある円弧形端子をそれぞれ二つの弾性端子の接触端と接触することで、電気性の伝導を行うのである。
【０００７】
本考案のＬＥＤランプ台の取付け構造において、ＬＥＤランプ台の円弧形端子の一部をその弾性端子の接触端に通過することで、その弾性端子のリング状接触端がそのＬＥＤランプ台を支える作用を提供することができる。
【０００８】
本考案のＬＥＤランプ台の取付け構造において、ランプ台をその二つの弾性端子の間に取付けた後、任意に回転することで投射光を調整することができる。
【課題を解決するための手段】
【０００９】
請求項１の考案は、ＬＥＤランプ台の取付け構造に関するものであり、一つのＬＥＤランプ台及び電源出力端としての二つの弾性端子を含み、その中、ランプ台の中に少なくとも一つのＬＥＤを設け、その両側端にそれぞれ一つの円弧形端子を設けてあり、その二つの円弧形端子でそのランプ台の電源入力端を構成し、その弾性端子の一端は電気回路板で接続し、別の一端は自由端であり、その自由端の末端に一つのコップ状の本体を連接して設け、そのコップ上の末端にリング状端が形成され、該ランプ台がその二つの弾性端子の間に挟まれ、且つ該ライト台の両端にある円弧形端子をそれぞれ二つの弾性端子の自由端でのコップ状の本体末端にあるリング状端とコンタクトすることを特徴とするＬＥＤランプ台の取付け構造としている。
請求項２の考案は、請求項１記載のＬＥＤランプ台の取付け構造において、そのうち、そのランプ台は球体状であることを特徴とするＬＥＤランプ台の取付け構造としている。
請求項３の考案は、請求項１記載のＬＥＤランプ台の取付け構造において、そのうち、その二つの円弧形端子は球面状であることを特徴とするＬＥＤランプ台の取付け構造としている。
請求項４の考案は、ＬＥＤランプ台の取付け構造に関するものであり、その中、一つのＬＥＤランプ台及び電源出力端としての二つの弾性端子を含み、その中、
ランプ台の中に少なくとも一つのＬＥＤを設け、その両側の端にそれぞれ一つの円弧形端子を設けてあり、その二つの円弧形端子でそのランプ台の電源入力端を構成し、
その弾性端子の一端は電気回路板で接続し、別の一端はプレート状の自由端であり、そのプレート状の内側面に等角で分ける形態によって、３〜４枚の突出プレート４１を突出して設け、
そのライト台がその二つの弾性端子の間に挟まれ、そのライト台の両側端にある円弧形端子をそれぞれ二つの弾性端子の自由端の内側面にある各突出プレートで囲まれて形成する空間の中に嵌めて固定することで、そのランプ台が落ちる恐れがないことを特徴とするＬＥＤランプ台の取付け構造としている。
請求項５の考案は、請求項４記載のＬＥＤランプ台の取付け構造において、そのうち、そのランプ台は球体状であることを特徴とするＬＥＤランプ台の取付け構造としている。
請求項６の考案は、請求項４記載のＬＥＤランプ台の取付け構造において、そのうち、その二つの円弧形端子は球面状であることを特徴とするＬＥＤランプ台の取付け構造としている。
請求項７の考案は、ＬＥＤランプ台の取付け構造に関するものである、一つのＬＥＤランプ台及び電源出力端としての二つの弾性端子を含み、その中、ランプ台の中に少なくとも一つのＬＥＤを設け、その両側端にそれぞれ一つの円弧形端子を設けてあり、その二つの円弧形端子でそのランプ台の電源入力端を構成し、
その弾性端子の一端は電気回路板で接続し、別の一端は自由端であり、その自由端の末端に一つの中央に貫通穴があるリングを連接で設け、
そのライト台がその二つの弾性端子の間に挟まれるし、そのライト台の両側端にある弧形端子をそれぞれ二つの弾性端子の自由端にあるリング状端とコンタクトすることを特徴とするＬＥＤランプ台の取付け構造としている。
請求項８の考案は、請求項７記載のＬＥＤランプ台の取付け構造において、その中、二つの円弧形端子はプレート状であり、その二つの円弧形端子の外周縁は同一円周にあることを特徴とするＬＥＤランプ台の取付け構造としている。
【考案の効果】
【００１０】
本考案に記載される「ＬＥＤランプ台の取付け構造」を使う場合、そのＬＥＤランプ台をより簡単に取付ける及び取外すことができるし、ＬＥＤライト台を取付けた後、その投射光の角度を調整できるので、本考案は構造が簡単で、機能がより良い設計である。
【考案を実施するための最良の形態】
【００１１】
現在ＬＥＤの明るさ、寿命、信頼性、価格にすべて商業照明に必要な条件に一致するし、省エネルギー、体積が小さい特性を持つため、本件の申請者がＬＥＤを光源としてのランプ台及びそのランプ台の取付け構造を研究開発することで、ＬＥＤを照明器具に応用することができる。下記でその実施例を述べることで、本考案の構造及び機能を詳しく説明する。
【００１２】
図１、２、３をご参照ください。それは本考案の一つの好ましい実施例である。本考案に記載される「ＬＥＤランプ台の取付け構造」は、一つのＬＥＤランプ台１０及び電源出力端としての二つの弾性端子２０、２０を含む。その中、そのＬＥＤランプ台１０はＬＥＤ１１を光源として、その両端にそれぞれ一つの円弧形端子１２、１２を固定して設けることで、その二つの円弧形端子１２、１２ がＬＥＤランプ台１０の電源入力端になる。
又、その弾性端子２０の一端２１を固定して電気回路板３０の上に設け、別の一端は自由端２２であり、その自由端２２に一つのコップ形状の本体２３を接続してあり、そのコップ形状の本体２３の末端に一つのリング形状の端２４が形成され、そのＬＥＤランプ台１０を二つの弾性端子２０、２０の間に置くことで、その二つの弾性端子２０、２０に挟まれる。又、そのＬＥＤランプ台１０の両側端にある円弧形端子１２、１２をそれぞれ二つの弾性端子２０、２０のコップ形状の本体２３の中に伸びて入れ、そのコップ形状の本体２３の末端にあるリング形状の端２４をＬＥＤランプ台１０にある円弧形端子１２、１２と相互にコンタクトすることで、電気性の伝導を形成する。
【００１３】
上述のＬＥＤランプ台１０の中に少なくとも一つのＬＥＤ１１を設け、そのＬＥＤ１１のトップの端に電源入力端としての二つの接続脚１３、１３を設ける。その二つの円弧形端子１２、１２をＬＥＤ１１の二つの接続脚１３、１３とそれぞれ溶接する。又、そのランプ台１０は球体状で、その二つの円弧形端子１２、１２は球面形であるし、その二つの円弧形端子１２、１２の外部の表面は同一球面にある。そのランプ台１０をその二つの弾性端子２０、２０の間に回転することで、ライト台の上でのＬＥＤ１１の投射方向を調整することができる。
【００１４】
上述の二つの弾性端子２０、２０の上にランプ台１０を挟んでいない場合、二つの自由端２２、２２の末端のリング形状の端２４、２４の距離は、そのランプ台１０の直径の長さより小さいので、そのランプ台１０を二つの弾性端子２０、２０のリング形状の端２４、２４に置く場合、その二つの弾性端子２０、２０のリング形状の端２４、２４が迫られて広げるので、そのランプ台１０に挟む力を生じるのである。
【００１５】
図４は本考案の別一つの実施例である。その中での二つの弾性端子４０、４０はプレート状であるし、その弾性端子４０の内部側の面に等角で分ける形態によって、３〜４枚の突出プレート４１を突出で設けるので、そのライトランプが二つの弾性端子の間に挟まれる場合、その両側の端にある円弧形端子１２、１２が二つの弾性端子４０、４０の内側面にある各突出プレート４１で囲まれて形成する空間の中に入れることで、そのランプ台１０が落ちる虞がないと同時に、そのランプ台１０での二つの円弧形端子１２、１２を二つの弾性端子４０、４０の間に接触状態を維持させることができる。
【００１６】
図５、図６は本考案の又一つの実施例である。その中でのランプ台６０は一つのＬＥＤ６１及びそのランプ台６０の電源入力端としての円弧形端子６２、６２を含む。その二つの円弧形端子６２、６２はプレート状であり、その二つの円弧形端子６２、６２の外周縁は同一円周にある。
又、電気回路板３０と固定して接続する二つの弾性端子５０、５０の自由端は、中央に貫通穴５１、５１があるリング状端５２、５２である。そのランプ台６０にある二つの弾性端子５０、５０が挟まれるし、そのランプ台６０での二つの円弧形端子６２、６２を弾性端子５０、５０のリング状端５２、５２の中央にある貫通穴５１、５１の中にそれぞれ嵌めて固定することで定位するので、そのランプ台６０を二つの弾性端子５０、５０の間に前後で回転、又は左右で回転することができるため、ランプ台６０の上でのＬＥＤ６１の投射方向を調整する作用を達成する。
【００１７】
図７は本考案の又一つの実施例である。そのライト台８０の中に一つの電気回路板８１及び少なくとも一つのＬＥＤ８２を設ける。その二つの円弧形端子８３、８３を固定してライト台８０の両端に設け、それを電気回路板８１の電源入力端とし、その二つの円弧形端子８３、８３は球面形である。
又、二つの弾性端子７０、７０の一端を固定して電気回路板３０の上に設けてあり、別の一端にある自由端は中央に貫通穴７１、７１があるリング形状の端７２、７２である。そのライト台８０を弾性端子７０、７０の間に置くことで、二つの弾性端子７０、７０に挟まれる。又、そのライト台８０の両側の端にある円弧形端子８３、８３をそれぞれ二つの弾性端子７０、７０の貫通穴７１、７１の中に嵌めて固定するし、それをリング形状の端７２、７２とコンタクトして、電気性の伝導を形成するので、そのライト台８０を回転することで投射光の方向を調整することができる。
【００１８】
上述による、本考案に記載される「ＬＥＤランプ台の取付け構造」を使う場合、そのＬＥＤランプ台をより簡単に取付ける及び取外すことができるし、ＬＥＤライト台を取付けた後、その投射光の角度を調整できるので、この考案は構造が簡単で、機能がより良い設計である。
【図面の簡単な説明】
【００１９】
【図１】本考案の実施例の外観図である。
【図２】図１で示す実施例の断面図である。
【図３】図１で示す実施例の中での弾性端子の外観図である。
【図４】本考案の別一つの実施例の構造図である。
【図５】本考案の又一つの実施例の外観図である。
【図６】図５で示す実施例の断面図である。
【図７】本考案の又一つの実施例の断面図である。
【符号の説明】
【００２０】
１０    ランプ台                    １１    ＬＥＤ  
１２    円弧形端子                  １３    接続脚
２０    弾性端子                    ２１    弾性端子の一端
２２    自由端                      ２３    コップ形状の本体
２４    リング形状の端
３０    電気回路板
４０    弾性端子                    ４１    突出プレート
５０    弾性端子                    ５１    貫通穴
５２    リング状端
６０    ランプ台                    ６１    ＬＥＤ
６２    円弧形端子  
７０    弾性端子                    ７１    貫通穴
７２    リング形状の端
８０    ライト台                    ８１    電気回路板
８２    ＬＥＤ                      ８３    円弧形端子
【図１】
0003147965.tif 000003
【図２】
0003147965.tif 000004
【図３】
0003147965.tif 000005
【図４】
0003147965.tif 000006
【図５】
0003147965.tif 000007
【図６】
0003147965.tif 000008
【図７】
0003147965.tif 000009